(57)【要約】      （修正有）【課題】床面に散乱しているコインを操作が簡単でより確実に回収することができるコイン回収具を提供する。【解決手段】コイン回収具１は、床面上のコイン１００を把持する把持部材１０と、把持部材と連結した柄部材６０と、柄部材と連結し把持動作を行うためのハンドル部材５０と、を備えている。把持部材１０は、先端部が板状の回動部材３０と、回動部材に対峙し先端部が板状の固定部材２０とを有し、回動部材とハンドル部材は紐状部材によって連結され、ハンドル部材の握り操作で紐状部材を引くことにより、回動部材を固定部材に対して縮閉させてコインを把持回収する。【選択図】図１
0003197803.tif 000002
【実用新案登録請求の範囲】
【請求項１】
床面上のコインを把持する把持部材と、該把持部材と連結した柄部材と、該柄部材と連結し把持動作を行うためのハンドル部材と、を備え、
前記把持部材は、先端部が板状の回動部材と、該回動部材に対峙し先端部が板状の固定部材と、を有し、
前記回動部材と前記ハンドル部材は紐状部材によって連結され、
前記ハンドル部材の握り操作で前記紐状部材を引くことにより、前記回動部材を前記固定部材に対して縮閉させて前記コインを把持回収することを特徴とするコイン回収具。
【請求項２】
前記把持部材が、前記柄部材に固着した連結部材を更に備え、該連結部材の上部に前記回動部材が連結され、該連結部材の下部に前記固定部材が固着され、
前記回動部材と、前記連結部材又は前記固定部材と、を接続し該回動部材が拡開する方向に付勢する第１付勢部材が固着され、前記回動部材の後端部が前記連結部材に回動可能に軸支され、前記後端部の下端に前記紐状部材が接続されて前記把持動作を可能とする請求項１に記載のコイン回収具。
【請求項３】
前記回動部材は、前記連結部材に連結した回動アームと、該回動アームの先端部に軸支された掬い部材と、からなり、
前記回動アームは、前記掬い部材を拡開する方向に付勢する、該掬い部材に接続した第２付勢部材を有する請求項２に記載のコイン回収具。
【請求項４】
前記掬い部材は、把持側に屈曲して形成されている請求項３に記載のコイン回収具。
【請求項５】
前記固定部材は、前記連結部材に固着した固定アームと、該固定アームの下面に固着した係止部材と、からなる請求項２乃至４のいずれかに記載のコイン回収具。
【請求項６】
前記固定部材又は前記回動部材の一方に、互いに対峙する向きに押圧可能な突出部材を備え、
該回動部材又は該固定部材の他方に前記突出部材が押圧することにより、前記回動部材先端が前記固定部材に当接停止する請求項１乃至５のうちのいずれか１項に記載のコイン回収具。
【請求項７】
前記回動部材の先端部は、硬質弾性材からなる請求項１乃至６のうちのいずれか１項に記載のコイン回収具。
【請求項８】
前記固定部材の先端部は、軟質弾性材からなる請求項１乃至７のうちのいずれか１項に記載のコイン回収具。
【考案の詳細な説明】
【技術分野】
【０００１】
本考案は、床面に散乱しているコインを操作が簡単でより確実に回収することができるコイン回収具に関する。
【背景技術】
【０００２】
一般に、ゲームセンターやパチンコ店でのスロットマシンなどのゲーム機では、専用のコインを用いて、遊戯を行う。
しかし、遊技者がゲーム機にコインを投入する際などに、誤ってコインを床面に落としてしまったり、大量に貯まったコインの入った箱をひっくり返して、床面上にコインを散乱させてしまうことがある。こうして床面に散乱したコインは、遊戯者自身や、係員がしゃがみこんで手で一枚一枚拾い集めるのが通常である。
【０００３】
しかし、手でコインを拾い集めるのは、時間も手間もかかり大変面倒な作業になる。さらに、通常スロットマシンは狭い空間に設置されており、他の遊戯者の邪魔となることがあるため、短時間でコインを拾い集める必要がある。
【０００４】
これに対して、効率よくコインを回収できるコイン捕集具が提案されている（例えば、特許文献１参照。）。
特許文献１のコイン捕集具は、捕集具本体と掻寄体とからなり、作業者がしゃがみこむ必要がなく、効率良くコインを掻き集めることができる。
【先行技術文献】
【特許文献】
【０００５】
【特許文献１】特開平１１−３１９２９９号公報
【考案の概要】
【考案が解決しようとする課題】
【０００６】
しかし、特許文献１のコイン捕集具は、捕集具本体と掻寄体とからなり、作業者は両手で捕集具本体と掻寄体を持ってコインの捕集作業することになる。
このため、両手での作業は手間もかかり、狭い空間で捕集具本体と掻寄体を使用することは、他の遊戯者の邪魔になる可能性がある。
また捕集具本体と掻寄体が分離しているため、コイン捕集具の不使用時における収納空間も広くとる必要がある。
【０００７】
本考案は、前記の課題を解決するものであり、操作が簡単でより確実にコインを回収することができるコイン回収具を提供することを目的とする。
【課題を解決するための手段】
【０００８】
請求項１のコイン回収具は、床面上のコインを把持する把持部材と、該把持部材と連結した柄部材と、該柄部材と連結し把持動作を行うためのハンドル部材と、を備え、
前記把持部材は、先端部が板状の回動部材と、該回動部材に対峙し先端部が板状の固定部材と、を有し、
前記回動部材と前記ハンドル部材は紐状部材によって連結され、
前記ハンドル部材の握り操作で前記紐状部材を引くことにより、前記回動部材を前記固定部材に対して縮閉させて前記コインを把持回収することを特徴とする。
【０００９】
請求項２のコイン回収具は、請求項１に記載のコイン回収具において、
前記把持部材が、前記柄部材に固着した連結部材を更に備え、該連結部材の上部に前記回動部材が連結され、該連結部材下部に前記固定部材が固着され、
前記回動部材と、前記連結部材又は前記固定部材と、を接続し該回動部材が拡開する方向に付勢する第１付勢部材が固着され、前記回動部材の後端部が前記連結部材に回動可能に軸支され、前記後端部の下端に前記紐状部材が接続されて前記把持動作を可能とすることである。
【００１０】
請求項３のコイン回収具は、請求項２に記載のコイン回収具において、前記回動部材が、前記連結部材に連結した回動アームと、該回動アームの先端部に軸支された掬い部材と、からなり、
前記回動アームが、前記掬い部材を拡開する方向に付勢する、該掬い部材に接続した第２付勢部材を備えていることである。
【００１１】
請求項４のコイン回収具は、請求項３に記載のコイン回収具において、前記掬い部材が、把持側に屈曲形成されていることである。
請求項５のコイン回収具は、請求項２乃至４のいずれかに記載のコイン回収具において、前記固定部材は、前記連結部材に固着した固定アームと、該固定アームの下面に固着した係止部材と、からなることである。
【００１２】
請求項６のコイン回収具は、請求項１乃至５のいずれかに記載のコイン回収具において、前記固定部材又は前記回動部材の一方に、互いに対峙する向きに押圧可能な突出部材を備え、
該回動部材又は該固定部材の他方に突出部材が押圧することにより、前記回動部材の先端が前記固定部材に当接停止することである。
請求項７のコイン回収具は、請求項１乃至６のいずれかに記載のコイン回収具において、回動部材の先端部が、硬質弾性材からなることである。
請求項８のコイン回収具は、請求項１乃至７のいずれかに記載のコイン回収具において、固定部材の先端部が、軟質弾性材からなることである。
【考案の効果】
【００１３】
請求項１のコイン回収具は、把持部材と柄部材とハンドル部材とを備えており、
把持部材は、先端部が板状の回動部材と、先端部が板状の固定部材とを有し、回動部材と前記ハンドル部材は紐状部材によって連結され、ハンドル部材の握り操作で紐状部材を引くことにより、回動部材を固定部材に対して縮閉させてコインを把持回収することができるため、操作が簡単でより確実にコインを回収することができる。
【００１４】
請求項２のコイン回収具は、把持部材が、柄部材に固着した連結部材を更に備え、連結部材の上部に回動部材が連結され、連結部材下部に固定部材が固着され、
回動部材と、連結部材又は前記固定部材と、を接続し回動部材が拡開する方向に付勢する第１付勢部材が固着され、回動部材の後端部が連結部材に回動可能に軸支され、後端部の下端に紐状部材が接続されて把持動作を可能とするため、握り操作によって回動部材が縮閉し、握り操作の解除によって回動部材が拡開することができる。これにより、コインの繰り返し回収作業が容易となる。
【００１５】
請求項３のコイン回収具は、回動部材が、回動アームと、その先端部に軸支された掬い部材とからなり、回動アームが、掬い部材を拡開する方向に付勢する第２付勢部材を有しているため、掬い部材を自在に回動させてコインを掬いやすくすることができる。
【００１６】
請求項４のコイン回収具は、掬い部材が把持側に屈曲形成されているため、よりコインが掬いやすいものとなる。
請求項５のコイン回収具は、固定部材が、連結部材に固着した固定アームと、固定アームの下面に固着した係止部材と、からなるため、係止部材を確実に固定することができる。
【００１７】
請求項６のコイン回収具は、固定部材又は回動部材の一方に、互いに対峙する向きに押圧可能な突出部材を備え、回動部材又は固定部材の他方に突出部材が押圧することにより、回動部材の先端が固定部材に当接停止するため、固定部材又は回動部材が互いに損傷することなくコインの把持操作を適切に行うことができる。
請求項７のコイン回収具は、回動部材の先端部が、硬質弾性材からなるため、コインを傷つけることなく掬い上げることができ、又床面を傷つけることがない。
請求項８のコイン回収具は、固定部材の先端部が、軟質弾性材からなるため、床面に先端部を撓ませながら把持することができ、又、摩擦力を大きく保持できるため、より確実にコインを回収しやすいものとなる。そして、軟質弾性材であることから、コイン及び、床面を傷つけることがない。
【図面の簡単な説明】
【００１８】
【図１】実施形態１のコイン回収具の使用状態を示す斜視図である。
【図２】実施形態１のコイン回収具の把持部の拡大斜視図である。
【図３】実施形態１のコイン回収具に係り（ａ）コインを把持する前の状態の断面図、（ｂ）ハンドル部材を握り操作してコインを把持した状態の断面図である。
【図４】実施形態１のコイン回収具の把持部に係り、コインを把持する前の状態の拡大断面図である。
【図５】図４の状態から、回動部材及び固定部材を床面上に載置してコインを把持する直前の状態を示す拡大断面図である。
【図６】図５の状態から、ハンドル部材を握り操作してコインが掬い部材に載上されていく状態を示す拡大断面図である。
【図７】図６の状態から、更にハンドル部材を握り操作して回動部材が更に回動縮閉して固定部材に近接し、コインが把持されていく状態を示す拡大断面図である。
【図８】図７の状態から、更にハンドル部材を握り操作して、コインを把持回収し、床面から持ち上げた状態を示す拡大断面図である。
【図９】実施形態２のコイン回収具の把持部の拡大斜視図である。
【図１０】実施形態２のコイン回収具に係り（ａ）コインを把持する前の状態の断面図、（ｂ）ハンドル部材を握り操作してコインを把持した状態の断面図である。
【考案を実施するための形態】
【００１９】
［第１実施形態］
第１実施形態に係る回収具１は、本考案を具体化している。
コイン回収具１は、図１に示すように、床面上のコイン１００を把持する把持部材１０と、把持部材１０と連結した柄部材２０と、柄部材２０と連結し把持動作を行うためのハンドル部材３０と、を備えている。
【００２０】
［１］把持部材１０
把持部材１０は、図１及び図２に示すように、先端部が板状の回動部材３０と、回動部材３０に対峙し先端部が板状の固定部材２０とを有している。回動部材３０とハンドル部材５０とは紐状部材６１によって連結されている。
【００２１】
把持部材１０は、柄部材６０に固着した連結部材４０を備えている。この連結部材４０は、図２に示すように、樋状に形成され、柄部材６０を包接固着している。
【００２２】
回動部材３０は、回動アーム３５と、その先端部に回動軸３５ｃに軸支された掬い部材３１とからなり、回動アーム３５の後端部は、連結部材４０の回動軸４６に回動可能に軸支されている。
回動アーム３５の後端部の下端の係止ピン４５に紐状部材６１が接続されている。
【００２３】
図３に示すように、回動部材３０と連結部材４０との間には、回動部材３０が拡開する方向に付勢する第１付勢部材１５が設けられている。
より具体的には、図４に示すように、連結部材４０の下部前方に設けた固着具８２と、回動アーム３５に設けた固着具８１によって第１付勢部材１５が接続固着されている。
第１付勢部材１５の固着方法は、固定部材に対する回動部材が拡開する方向に付勢することができれば特に限定はなく、回動部材３０、連結部材４０のいずれか一方に第１付勢部材を固着する構成であってもよい。更に、連結部材４０の代わりに固定部材２０に第１付勢部材１５を固着する構成であってもよい。
【００２４】
回動アーム３５には、第２付勢部材３７が係止用針金３８に接続して、係止孔３５ａと、後端４８との間に掛け止めされている。第２付勢部材３７は、掬い部材３１を拡開する方向に付勢されている。
【００２５】
掬い部材３１は、図３及び図４に示すように、把持側に屈曲形成されて折板状であり、後端板３１ａと、後端板３１ａに接続する先端板３１ｂとからなる。先端板３１ｂには両側面にガイド片３３が固設されている。
先端板３１ｂには硬質弾性材からなる掬い片３２が固着されている。掬い片３２は、後端３２ａから先端３２ｂに向かって僅かに下方に屈曲している。こうすることで、更にコインを掬い上げやすくなる。そして、硬質弾性材からなることにより、コイン及び床面を傷つけることがない。
【００２６】
固定部材２０は、連結部材４０に後端側が外嵌固着した固定アーム２５と、固定アーム２５の下面に固着した係止部材２１と、からなる。
固定部材２０は、係止部材２１に平板状の係止片２２を取着して形成されている。
係止片２２の材質は特に限定はないが、軟質弾性材であることが好ましい。軟質弾性材であれば、弾性変形が可能であるため、床面８０に先端部を撓ませながら把持することができ、又、摩擦力を大きく保持できるため、より確実にコインを回収しやすいものとなる。また、軟質弾性材からなることにより、コイン及び床面を傷つけることなくコインを回収することができる。
【００２７】
図３又は図４に示すように、固定部材２０の係止部材２１に、突出部材２７が固着具８３によって固着されている。この突出部材２７は、回動部材３０の縮閉時に回動アーム３５に設けた長孔３５ｂから突出して、掬い部材３１の内面にその先端が押圧する。
この突出部材２７は、固定部材２０又は前記回動部材３０のいずれか一方に、互いに対峙する向きに備えていてもよい。すなわち、回動部材３０の回動により、固定部材２０又は回動部材３０の他方に突出部材２７が押圧することにより、回動部材３０の先端が固定部材２０に当接停止することが出来れば、特に限定はない。
【００２８】
［２］ハンドル部材５０
ハンドル部材５０は、把持動作によって、回動部材３０を縮閉するための部材である。
図３（ａ）に示すように、握り部５２が後端の支持軸５５ｃに軸支され、先端の回動軸５５ｂに、リンク部材５５の一端が軸支され、他端の係止ピン５５ａに紐状部材６１が接続されている。
そして、把持動作を行うと、図３（ｂ）に示すようにリンク部材５５が回動して、紐状部材６１が引っ張られる。
【００２９】
［３］柄部材６０
柄部材６０は、図１、図３に示すように、ハンドル部材５０と把持部材１０を接続する部材であり、楽な立ち姿勢で、コインを収集可能な長さになっている。
そして、柄部材６０は、中空の管部材からなっており、管内部に紐状部材６１が挿通している。
この紐状部材の種類は特に限定はなく、ワイヤ、ロープなどを用いることができる。
【００３０】
（動作）
以上の構成をしたコイン回収具を用いてコインを回収する動作について以下説明する。
図４に示すように、把持回収しようとする床面８０上のコイン１００に対して、把持部の回動部材３０と固定部材２０で囲むように近接する。
次いで、図５に示すように、床面８０上に、固定部材２０の係止片２２と回動部材３０の掬い片３２を押し当てる。そうすると、掬い部材３１は、付勢部材３７に抗して回動アーム３５の先端部の回動軸３５ｃを中心に把持方向へ回動する。
【００３１】
更に、図６に示すように、掬い片３２を床面に押し当てると共に、ハンドル部材５０の握り操作をすることで、紐状部材６１が上方へ引っ張られ、回動アームが、回動軸４６を中心に把持方向に回動する。
こうすることで、コイン１００の一端は係止片２２に押圧されると共に、他端は掬い片の先端部３２ｂ上に押し上げられる。
更にハンドル部材５０の握り操作を続けると、図７に示すように、紐状部材６１が更に上方へ引っ張られる。そうすると、突出部材２７が回動アーム３５の上部の長孔３５ｂを貫通して、掬い部材３１の後端板３１ａの内面を押圧する。
そして、この押圧により、更に掬い部材３１が回動し、コイン１００が掬い片の後端３２ａまで押し上げられる。係止片２２は軟質の弾性材であるため、僅かに曲折してコイン１００を押圧するため、掬い部材３１上にコイン１００を掬い上げるのを補助する作用をする。
【００３２】
そして、さらに回動すると、突出部材の先端２７ａが、掬い部材３１の後端板３１ａの内面を更に押圧することで、掬い片の先端部３２ｂが、係止片２２内面に当接停止して、コイン１００を確実に把持回収することができる。
すなわち、図８に示すように、コイン回収具１を床面８０から持ち上げても、係止片２２と掬い片３２によってコイン１００を確実に把持できるため、コイン１００は脱落することがない。
コイン１００を把持回収した後はハンドル部材５０の握り操作を解除して、回収箱（不図示）に把持したコイン１００を回収する。
その後、次のコイン回収作業に移ることができる。
【００３３】
［第２実施形態］
第２実施形態に係るコイン回収具２も本考案を具体化している。ここで、コイン回収具１と同様の構成については、同一の符号を使用するものとする。
コイン回収具２は、図１０（ａ）に示すように、床面上のコイン１００を把持する把持部材７０と、把持部材７０と連結した柄部材６０と、柄部材６０と連結し把持動作を行うためのハンドル部材５０と、を備えている。
把持部材７０は、先端部が板状の回動部材９０と、回動部材９０に対峙し先端部が板状の固定部材８０とを有している。回動部材９０とハンドル部材５０とは紐状部材６１によって連結されている。
【００３４】
回動部材９０は、回動アーム３５と、その先端部に回動軸３５ｃに軸支された掬い部材３１とからなり、回動アーム３５の後端部は、連結部材４０の回動軸４６に回動可能に軸支されている。
回動アーム３５の後端部の下端の係止ピン４５に紐状部材６１が接続されている。
【００３５】
図９及び図１０に示すように、回動部材９０と連結部材４０との間には、回動部材９０が拡開する方向に付勢する第１付勢部材９５が固設されている。
第１付勢部材９５の固着方法は、固定部材に対する回動部材が拡開する方向に付勢することができれば特に限定はなく、回動部材９０、連結部材４０のいずれか一方に第１付勢部材を固着する構成であってもよい。更に、連結部材４０の代わりに固定部材８０に第１付勢部材９５を固着する構成であってもよい。
【００３６】
回動アーム３５には、第２付勢部材９７が回動軸３５ｃ固定されている。第２付勢部材９７の一端が、回動アーム３５の内面を押圧し、他端が掬い片３２を押圧することにより、掬い部材３１を拡開する方向に付勢している。
掬い部材３１、掬い片３２の構成、及び作用効果については、実施形態１と同様で前述の通りであるため、その説明を省略する。
【００３７】
固定部材７０は、連結部材４０に後端側が外嵌固着した固定アーム８５と、固定アーム８５の下面に固着した係止部材２１と、からなる。
固定アーム８５の先端に、一対の突出部材８７が延出形成されている。この突出部材８７は、図１０（ｂ）に示すように、回動部材９０の縮閉時に掬い部材３１の内面にその先端が押圧する。すなわち、回動部材９０の回動により、掬い部材３１の内面に突出部８５ａが押圧することにより、回動部材０の先端が固定部材８０に当接停止する。
【００３８】
係止部材２１、係止片２２の構成、及び作用効果については、実施形態１と同様で前述の通りであるため、その説明を省略する。
また、ハンドル部材５０、柄部材６０、及びこれらと回動部材９０との作用効果、並びにコイン回収具２の動作については、第１実施形態のコイン回収具１と同様であるため、その説明は省略する。
【符号の説明】
【００３９】
１０、７０・・・把持部材
１５、９５・・・第１付勢部材
２０、８０・・・固定部材
２１・・・・・・係止部材
２２・・・・・・係止片
２５、８５・・・固定アーム
２７、８７・・・突出部材
５０・・・・・・ハンドル部材
３０、９０・・・回動部材
３１・・・・・・掬い部材
３５・・・・・・回動アーム
３７、９７・・・第２付勢部材
４０・・・・・・連結部材
６０・・・・・・柄部材
６１・・・・・・紐状部材
１００・・・・・コイン
１１０・・・・・床面  
【図１】
0003197803.tif 000003
【図２】
0003197803.tif 000004
【図３】
0003197803.tif 000005
【図４】
0003197803.tif 000006
【図５】
0003197803.tif 000007
【図６】
0003197803.tif 000008
【図７】
0003197803.tif 000009
【図８】
0003197803.tif 000010
【図９】
0003197803.tif 000011
【図１０】
0003197803.tif 000012